(57)【要約】【課題】容易にバランスをとることにより灯体の照射方向を変えることのできる照明器具を提供する。【解決手段】先端に灯体２５を支持する第１のアーム２２と、先端にバランサー２６を取付けた第２のアーム２３とが回動部２１によって連結されて回動可能となっているので、灯体２５、第１のアーム２２、第２のアーム２３及びバランサー２６からなる結合体２０の重心位置を移動させることにより、灯体２５の照射方向を容易に変えることができる。【選択図】図１
2009245616.tif 000002
【特許請求の範囲】
【請求項１】
光源を有する灯体と、前記灯体を支持するとともに回動部を介して器具固定部材に回動可能に取付けられるアームと、を有する照明器具であって、
前記アームが、前記回動部を挟んで、前記灯体を支持する第１のアームと、バランサーを有する第２のアームを有し、
前記灯体、前記第１のアーム、前記第２のアーム及び前記バランサーからなる結合体の重心位置を移動させることにより前記灯体の照射方向を決定することを特徴とする照明器具。
【請求項２】
前記第１のアーム及び前記第２のアームの少なくとも一方を伸縮させることにより、前記重心位置を変化させることを特徴とする請求項１に記載の照明器具。
【請求項３】
前記回動部の位置を前記アーム上で移動させることにより、前記第１のアームと前記第２のアームとの長さの比を変化させて、前記重心位置を変化させることを特徴とする請求項１に記載の照明器具。
【請求項４】
前記灯体及び前記バランサーの少なくとも一方の保持位置を変えることにより、前記重心位置を変化させることを特徴とする請求項１に記載の照明器具。
【請求項５】
前記第１のアームと前記第２のアームとが成す角度を変えることにより、前記重心位置を変化させることを特徴とする請求項１に記載の照明器具。
【請求項６】
前記バランサーが、前記光源を点灯させるための点灯回路であることを特徴とする請求項１〜５のいずれかに記載の照明器具。
【請求項７】
前記バランサーは、前記器具固定部材及び前記アームを含む平面で切断した際に対称であり、当該バランサーに逃がし部を設けて回動部の真上に配置可能としたことを特徴とする請求項１〜６のいずれかに記載の照明器具。
【発明の詳細な説明】
【技術分野】
【０００１】
本発明は、照射方向を変えることができる照明器具に関するものである。
【背景技術】
【０００２】
従来より知られている、照射方向を変えることができる照明器具においては、アームに回動可能に取付けられた灯体を、ネジで締め付けて固定するものが知られている。しかしながら、このようにネジで灯体を固定する場合には、ネジを緩めた際に、落下のおそれがあった。
【０００３】
そこで、アームの一端側に灯体を取付け、他端側にバランスをとる錘を取付け、バランスをとることにより灯体の照射方向を変化させる照明器具が提案されている（例えば特許文献１参照）。
図７（Ａ）に示すように、特許文献１に記載の照明器具１００では、基台１０１から立設された支柱１０２の先端に、パイプ１０３を上下揺動可能に軸支し、パイプ１０３の一端に灯体１０４を取付け、他端にはバランスをとるための錘１０５を取付けた。そして、図７（Ｂ）に示すように、パイプ１０３に長孔１０６を形成し、ネジ１０７をしめることによって固定可能、かつ、ネジ１０７を緩めることによって長孔１０６に沿って移動可能とした。
【特許文献１】実開昭６０−２６７２４号公報（第１図、第２図）
【発明の開示】
【発明が解決しようとする課題】
【０００４】
しかしながら、前述した特許文献１に記載の照明器具１００においては、ネジ１０７を緩めて錘１０５を移動させ、その後ネジ１０７を締めて錘１０５を固定するため、面倒であるという問題があった。
【０００５】
本発明は、従来の問題を解決するためになされたもので、容易にバランスをとることにより灯体の照射方向を変えることのできる照明器具を提供することを目的とする。
【課題を解決するための手段】
【０００６】
本発明の照明器具は、光源を有する灯体と、前記灯体を支持するとともに回動部を介して器具固定部材に回動可能に取付けられるアームと、を有する照明器具であって、前記アームが、前記回動部を挟んで、前記灯体を支持する第１のアームと、バランサーを有する第２のアームを有し、前記灯体、前記第１のアーム、前記第２のアーム及び前記バランサーからなる結合体の重心位置を移動させることにより前記灯体の照射方向を決定する構成を有している。
【０００７】
この構成により、先端に灯体を支持する第１のアームと、先端にバランサーを取付けた第２のアームとが回動部によって連結されて回動可能となっているので、灯体、第１のアーム、第２のアーム及びバランサーからなる結合体の重心位置を移動させることにより、灯体の照射方向を容易に変えることができる。
【０００８】
また、本発明の照明器具は、前記第１のアーム及び前記第２のアームの少なくとも一方を伸縮させることにより、前記重心位置を変化させる構成を有している。
【０００９】
この構成により、第１のアーム及び第２のアームの少なくとも一方を伸縮させることにより、重心位置を変化させることができるので、灯体の照射方向を容易に変えることができる。
【００１０】
また、本発明の照明器具は、前記回動部の位置を前記アーム上で移動させることにより、前記第１のアームと前記第２のアームとの長さの比を変化させて、前記重心位置を変化させる構成を有している。
【００１１】
この構成により、回動部の位置をアーム上で移動させることにより、第１のアームと第２のアームとの長さの比を変化させて、重心位置を変化させることができるので、灯体の照射方向を容易に変えることができる。
【００１２】
また、本発明の照明器具は、前記灯体及び前記バランサーの少なくとも一方の保持位置を変えることにより、前記重心位置を変化させる構成を有している。
【００１３】
この構成により、灯体及びバランサーの少なくとも一方の保持位置を変えることにより、重心位置を変化させることができるので、灯体の照射方向を容易に変えることができる。
【００１４】
また、本発明の照明器具は、前記第１のアームと前記第２のアームとが成す角度を変えることにより、前記重心位置を変化させる構成を有している。
【００１５】
この構成により、第１のアームと第２のアームとが成す角度を変えることにより、重心位置を変化させることができるので、灯体の照射方向を容易に変えることができる。
【００１６】
また、本発明の照明器具は、前記バランサーが、前記光源を点灯させるための点灯回路である構成を有している。
【００１７】
この構成により、バランサーとして点灯回路を用いるので、全体として軽量化及びコンパクト化を図ることができる。
【００１８】
さらに、本発明の照明器具は、前記バランサーは、前記器具固定部材及び前記アームを含む平面で切断した際に対称であり、当該バランサーに逃がし部を設けて回動部の真上に配置可能とした構成を有している。
【００１９】
この構成により、バランサーの逃がし部に器具固定部材を挿嵌することにより、バランサーを回動部の真上まで回動させることができ、灯体の照射方向の調整可能範囲を拡大することができる。
【発明の効果】
【００２０】
本発明は、先端に灯体を支持する第１のアームと、先端にバランサーを取付けた第２のアームとが回動部によって連結されて回動可能となっているので、灯体、第１のアーム、第２のアーム及びバランサーからなる結合体の重心位置を移動させることにより、灯体の照射方向を容易に変えることができるという効果を有する照明器具を提供することができるものである。
【発明を実施するための最良の形態】
【００２１】
以下、本発明の実施の形態の照明器具について、図面を用いて説明する。
図１は本発明の第１実施形態にかかる照明器具の斜視図、図２（Ａ）〜（Ｃ）はアームを伸縮させて灯体の向きを変化させる動作を示す側面図である。
【００２２】
図１に示すように、本発明の第１実施形態にかかる照明器具１０は、例えば、取付け面である天井１１等に取付けられるライティングレール（図示省略）に沿って移動可能かつライティングレールから電力を供給されるライティングプラグ１２を有しており、ライティングプラグ１２から鉛直下方へ器具固定部材１３が設けられている。
【００２３】
器具固定部材１３の下端部には、ネジ等の回動軸２１ｃを中心として鉛直面内で上下方向へ回動可能な回動部２１が取付けられている。回動部２１は、器具固定部材１３に接続される縦筒２１ａと、この縦筒２１ａに直交する横筒２１ｂを有しており、全体逆Ｔ字形状をしている。回動部２１の横筒２１ｂには、一方に第１のアーム２２、他方に第２のアーム２３が直線状に取付けられてアーム２４を形成している。
【００２４】
第１のアーム２２は、外筒２２ｂ及び外筒２２ｂの内部で摺動可能な内筒２２ａを有しており、第１アーム２２全体として伸縮可能、かつ、固定可能となっている。第１アーム２２の先端、すなわち内筒２２ａの先端には、光源であるランプ２５ａを有する灯体２５が取付けられている。また、第２のアーム２３も同様に内筒２３ａ及び外筒２３ｂを有して伸縮可能、かつ、固定可能となっており、第２のアーム２３の先端（内筒２３ａの先端）には、錘であるバランサー２６が取付けられている。
【００２５】
灯体２５、第１のアーム２２、第２のアーム２３及びバランサー２６からなる結合体２０は、器具固定部材１３に回動可能に取付けられており、結合体２０の重心位置Ｇによって結合体２０の傾きが変わる。すなわち、結合体２０の重心位置Ｇが回動部２１の回動軸２１ｃの鉛直方向真下に位置している場合には、釣り合って結合体２０はその状態を維持することができる。一方、重心位置Ｇが回動軸２１ｃの鉛直真下からずれている場合には、重心位置Ｇが鉛直真下にくるように結合体２０は回動する。これにより、灯体２５の照射方向が変化する。
【００２６】
すなわち、図２（Ａ）に示すように、結合体２０の重心位置Ｇが、回動部２１とアーム２４との交点にある場合には、水平状態を保持する。
【００２７】
一方、図２（Ｂ）に示すように、第１のアーム２２における内筒２２ａを引き出して第１のアーム２２を伸ばして固定すると、結合体２０の重心位置Ｇが回動軸２１ｃの鉛直真下から左方向（図中矢印Ｌ方向）にずれる。これに伴い、重心位置Ｇが回動軸２１ｃの鉛直真下に位置するように、結合体２０は図中矢印Ａ方向へ回動し、重心位置Ｇが回動軸２１ａの鉛直方向真下に位置した状態で釣り合う。これにより、灯体２５による照射方向は下向きとなる。
【００２８】
また、図２（Ｃ）に示すように、第２のアーム２３における内筒２３ａを引き出して第２のアーム２３を伸ばして固定すると、結合体２０の重心位置Ｇが回動軸２１ｃの鉛直真下から右方向（図中矢印Ｒ方向）にずれる。これに伴い、重心位置Ｇが回動軸２１ｃの鉛直真下に位置するように、結合体２０は図中矢印Ｂ方向へ回動し、重心位置Ｇが回動軸２１ａの鉛直方向真下に位置した状態で釣り合う。これにより、灯体２５による照射方向は上向きとなる。
【００２９】
なお、アーム２４の伸縮は、第１のアーム２２又は第２のアーム２３の一方に限らず、同時に両方のアーム２２、２３を伸縮しても良い。
【００３０】
以上、説明した第１実施形態にかかる照明器具１０によれば、先端に灯体２５を支持する第１のアーム２２と、先端にバランサー２６を取付けた第２のアーム２３とが回動部２１によって連結されて回動可能となっているので、第１のアーム２２及び第２のアーム２３の少なくとも一方を伸縮させて、灯体２５、第１のアーム２２、第２のアーム２３及びバランサー２６からなる結合体２０の重心位置Ｇを移動させることにより、灯体２５の照射方向を容易に変えることができる。
【００３１】
次に、本発明の第２の実施の形態の照明器具を図３に示す。なお、前述した第１実施形態と共通する部位には同じ符号を付して、重複する説明を省略することとする。
図３（Ａ）〜（Ｃ）に示すように、第２実施形態にかかる照明器具１０Ｂでは、回動部２１の位置をアーム２４上で移動させることにより、第１のアーム２２と第２のアーム２３との長さの比を変化させて、重心位置Ｇを変化させる。
【００３２】
すなわち、図３（Ａ）に示すように、結合体２０の重心位置Ｇが、回動軸２１ｃの鉛直方向真下にある場合には、水平状態を保持する。
【００３３】
一方、図３（Ｂ）に示すように、回動部３０をアーム２４に沿って右方向（図中矢印Ａ方向）へ移動させて固定すると、結合体２０の重心位置Ｇは左方向（図中矢印Ｂ方向）へ移動するので、重心位置Ｇが回動軸２１ｃの鉛直方向真下に位置するように、結合体２０は矢印Ｃ方向へ回動する。これにより、灯体２５による照射方向は下向きとなる。
【００３４】
また、図３（Ｃ）に示すように、アーム２４に沿って左方向（図中矢印Ｄ方向）へ移動させて固定すると、結合体２０の重心位置Ｇは右方向（図中矢印Ｅ方向）へ移動するので、重心位置Ｇが回動軸２１ｃの鉛直方向真下に位置するように、結合体２０は矢印Ｆ方向へ回動する。これにより、灯体２５による照射方向は上向きとなる。
【００３５】
以上、説明した第２実施形態にかかる照明器具１０Ｂにおいても重心位置を変えることができ、前述した第１実施形態と同様の作用・効果を得ることができる。
【００３６】
次に、本発明の第３の実施の形態の照明器具を図４に示す。なお、前述した第１実施形態及び第２実施形態と共通する部位には同じ符号を付して、重複する説明を省略することとする。
図４に示すように、第３実施形態にかかる照明器具１０Ｃでは、灯体２５及びバランサー２６の少なくとも一方（ここでは、バランサー２６）の保持位置を変えることにより、結合体２０の重心位置Ｇを変化させる。
【００３７】
すなわち、図４に示すように、バランサー２６を移動機構２７を介してアーム２４に取付ける。例えば、バランサー２６の取付け位置を移動機構２７の先端側へ移動させると、結合体２０の重心位置Ｇは右方向（図中矢印Ａ方向）へ移動するので、重心位置Ｇが回動軸２１ｃの鉛直方向真下に位置するように、結合体２０は矢印Ｂ方向へ回動する。これにより、灯体２５による照射方向は上向きとなる。
【００３８】
なお、説明を省略するが、バランサー２６を左方向へ移動させることにより、灯体２５は下方へ向きを変える。また、ここでは、バランサー２６の保持位置を変える場合について説明したが、灯体２５の保持位置を変えるようにすることも可能である。
【００３９】
以上、説明した第３実施形態にかかる照明器具１０Ｃにおいても重心位置を変えることができ、前述した第１実施形態と同様の作用・効果を得ることができる。
【００４０】
次に、本発明の第４の実施の形態の照明器具を図５に示す。なお、前述した第１実施形態〜第３実施形態と共通する部位には同じ符号を付して、重複する説明を省略することとする。
図５に示すように、第４実施形態にかかる照明器具１０Ｄでは、第１のアーム２２と第２のアーム２３が成す角度θを変えることにより、結合体２０の重心位置Ｇを変化させる。
【００４１】
すなわち、図５（Ａ）に示すように、第１のアーム２２と第２のアーム２３が、直線状に接合されている場合に、係合体２０の重心位置Ｇは回動軸２１ｃの鉛直方向真下に位置し、灯体２５は水平方向に向く。
一方、第１のアーム２２と第２のアーム２３の成す角を変えてθとすると、回動部２１を中心として結合体２０の左右の重量が同じ場合には、重心位置Ｇは変わらないが、図５（Ｂ）に示すように、灯体２５はθ／２の方向に下向きとなる。
なお、回動部２１に対して、第１のアーム２２又は第２のアーム２３の一方のみ回動させて、第１のアーム２２と第２のアーム２３との成す角度を変えることも可能である。
【００４２】
以上、説明した第４実施形態にかかる照明器具１０Ｄにおいても重心位置を変えることができ、前述した第１実施形態と同様の作用・効果を得ることができる。
【００４３】
次に、本発明の第５の実施の形態の照明器具を図６に示す。なお、前述した第１実施形態〜第４実施形態と共通する部位には同じ符号を付して、重複する説明を省略することとする。
【００４４】
図６に示すように、第４実施形態にかかる照明器具１０Ｅでは、バランサー２６は、器具固定部材１３及びアーム２４を含む平面で切断した際に対称であり、このバランサー２６に逃がし部２６ａを設けた。逃がし部２６ａは、器具固定部材１３が挿嵌可能で、かつ、固定可能な大きさの凹部とすることができる。
【００４５】
これにより、バランサー２６の逃がし部２６ａに器具固定部材１３を挿嵌することにより、バランサー２６を回動部２１の真上まで回動させることができ、灯体２５の照射方向を真下とすることができる。
【００４６】
なお、本発明の照明器具は、前述した各実施形態に限定されるものでなく、適宜な変形，改良等が可能である。
例えば、前述した各実施形態においては、バランサー２６として、別途錘を用いた場合について例示したが、バランサーとして、ランプ２５ａを点灯させるための点灯回路（図示省略）を用いることができる。これにより、バランサーを別途設ける必要がなく、また、点灯回路を収容するスペースを設ける必要がないので、全体として軽量化及びコンパクト化を図ることができる。
【図面の簡単な説明】
【００４７】
【図１】本発明の第１実施形態にかかる照明器具の斜視図
【図２】（Ａ）〜（Ｃ）は第１実施形態にかかる照明器具において灯体の向きを変化させる動作を示す側面図
【図３】（Ａ）〜（Ｃ）は第２実施形態にかかる照明器具において灯体の向きを変化させる動作を示す側面図
【図４】第３実施形態にかかる照明器具の斜視図
【図５】（Ａ）及び（Ｂ）は第４実施形態にかかる照明器具において灯体の向きを変化させる動作を示す側面図
【図６】第５実施形態にかかる照明器具の斜視図
【図７】（Ａ）は従来の照明器具を示す側面図、（Ｂ）は（Ａ）中Ｂ部分の拡大図
【符号の説明】
【００４８】
１０  照明器具
１３  器具固定部材
２０  結合体
２１  回動部
２２  第１のアーム
２３  第２のアーム
２４  アーム
２５  灯体
２５ａ  ランプ（光源）
２６  バランサー
２６ａ  逃がし部
Ｇ  重心位置
【図１】
2009245616.tif 000003
【図２】
2009245616.tif 000004
【図３】
2009245616.tif 000005
【図４】
2009245616.tif 000006
【図５】
2009245616.tif 000007
【図６】
2009245616.tif 000008
【図７】
2009245616.tif 000009